(57)【要約】 【課題】被壁掛け品にフィットすることができ、取り付け時の作業性を向上し、回転防止機能を有する壁面取付用アダプタおよび被壁掛け品の壁掛け構造を提供する。【解決手段】壁面取付用アダプタ１００は、アダプタ本体１１０と、引掛け用突起部１２０と、弾性突出部１３０とを備える。弾性突出部１３０は、表面部材１１１の表面より所定高さを突出した突起部を有する２つの弾性突出部１３０ａ，１３０ｂからなる。弾性突出部１３０ａ，１３０ｂは、表面部材１１１に形成された突起部の周りの３方向に切り口を設けて板ばね状に形成される。また、被壁掛け品側取付け部は、板状部材に設けられ、大穴部と小穴部を有するダルマ穴である。これにより、壁面取付用アダプタ１００が被壁掛け品にフィットし、引掛け用突起部１２０がダルマ穴から外れることがなく、壁面取付用アダプタ１００を予め被壁掛け品に装着した後、壁に配置することができる。【選択図】      図１
2010175016.tif 000002
【特許請求の範囲】
【請求項１】
くぎやねじの取り付けが不能又は不適な壁と、裏面部に壁側から突出するくぎ・ねじ等の頭部形状の引掛け用突起部が係挿されるダルマ穴を備えたＯＡタップ等の被壁掛け品と、の間に位置され、前記壁に吸着固定されて前記被壁掛け品を支持する壁面取付用アダプタであって、
前記壁に密着される適宜大きさの板状のアダプタ本体と、
前記アダプタ本体の裏面に付設され前記壁に磁気吸着するか粘着剤により吸着して前記アダプタ本体を固定する固着部材と、
前記アダプタ本体の表面から突出して設けられ軸状部、先端に掛止部を有し、前記被壁掛け品を着脱可能に掛止する引掛け用突起部と、
前記アダプタ本体の表面の前記引掛け用突起部の一側に付設され前記被壁掛け品のダルマ穴に前記引掛け用突起部を係挿したときに前記被壁掛け品のダルマ穴を備えた裏面部に対して押圧して前記被壁掛け品のダルマ穴と前記引掛け用突起部との係挿状態を保持する少なくとも１つの弾性突出部と、
を備えたことを特徴とする壁面取付用アダプタ。
【請求項２】
前記アダプタ本体は樹脂成形体であり、前記弾性突出部は、前記アダプタ本体を半島状部分を有するように成形された該半島状の板ばね部と、該板ばね部の先端に一体成形され備えられ又は別部材として固定された突起とからなる、
ことを特徴とする請求項１に記載の壁面取付用アダプタ。
【請求項３】
前記弾性突出部は、ゴム成形体であり前記アダプタ本体に開けた孔に嵌着されているか、または前記アダプタ本体の表面に接着されている、
ことを特徴とする請求項１に記載の壁面取付用アダプタ。
【請求項４】
前記弾性突出部は、前記被壁掛け品のダルマ穴に前記引掛け用突起部を係挿したときに、前記被壁掛け品のダルマ穴の一側に備えられる凹部に係合するように配置されている、
ことを特徴とする請求項１に記載の壁面取付用アダプタ。
【請求項５】
前記引掛け用突起部は、前記アダプタ本体に表面よりタッピンネジを螺設し又は釘を打ち込み、該タッピンネジ又は該釘の前記アダプタ本体の表面より突出する部分である、
ことを特徴とする請求項１乃至請求項３のいずれかに記載の壁面取付用アダプタ。
【請求項６】
前記アダプタ本体は樹脂成形体であり、前記引掛け用突起部を一体成形により備えている、
ことを特徴とする請求項１乃至請求項３のいずれかに記載の壁面取付用アダプタ。
【請求項７】
前記固着部材は、前記アダプタ本体の裏面に固着されたマグネットであるか、又はアダプタ本体の裏面に塗膜されかつ離型紙で被覆され該離型紙が使用に際して剥離されて前記壁に粘着する粘着層である、
ことを特徴とする請求項１乃至請求項５のいずれかに記載の壁面取付用アダプタ。
【請求項８】
くぎやねじの取り付けが不能又は不適な壁と、裏面部に壁側から突出するくぎ・ねじ等の頭部形状の引掛け用突起部が係挿されるダルマ穴を離れた位置に複数備えたＯＡタップ等の被壁掛け品との間に、前記ダルマ穴に対応する数の請求項１乃至７のいずれかに記載の壁面取付用アダプタが前記壁に吸着固定されて位置され、前記各ダルマ穴に、これに対応する位置の壁面取付用アダプタの引掛け用突起部が係挿され前記被壁掛け品の裏面部の被壁掛け品を支持する、
ことを特徴とする被壁掛け品の壁掛け構造。
【請求項９】
裏面部に壁側から突出するくぎ・ねじ等の頭部形状の引掛け用突起部が係挿されるダルマ穴を離れた位置に複数備えたＯＡタップ等の被壁掛け品を、壁面取付用アダプタを用いて、くぎやねじの取り付けが不能又は不適な壁に壁掛けする被壁掛け品の壁掛け方法であって、
前記被壁掛け品の各ダルマ穴に請求項１乃至請求項７のいずれかに記載の壁面取付用アダプタの引掛け用突起部を係挿し、前記弾性突出部によって被壁掛け品の裏面部を押圧させることにより前記ダルマ穴と前記ダルマ穴引掛け用突起部との係挿状態を保持し、前記被壁掛け品の裏面部に複数の壁面取付用アダプタが位置固定されている状態で、前記くぎやねじの取り付けが不能又は不適な壁に壁面取付用アダプタの固着部材を押しつけてアダプタ本体を前記壁に固着し、前記被壁掛け品を壁掛けする、
ことを特徴とする被壁掛け品の壁掛け方法。
【発明の詳細な説明】
【技術分野】
【０００１】
本発明は、スチール製ラックやロッカー、デスク側面、またはボード、タイルの壁にＯＡタップや情報通信端末装置等の被壁掛け品を固定するための壁面取付用アダプタ、被壁掛け品の壁掛け構造および被壁掛け品の壁掛け方法に関する。
【背景技術】
【０００２】
近年、ＯＡタップや情報通信端末装置等を壁に固定するために、これらの被壁掛け品の背面にダルマ穴を設け、またはダルマ穴を有する金具を装着して、壁に螺入したネジをダルマ穴に引っ掛けることで固定する被壁掛け品の壁掛け構造が使用される。
【０００３】
例えば、壁掛機器に壁掛用ダルマ穴を設けて壁に取り付ける壁掛機器の被壁掛け品の壁掛け構造が提案されている（特許文献１参照）。
【０００４】
また、その他の方法としては、接着剤または粘着シートを用いて機器筐体や壁掛け装置を直接壁面へ接着固定していた。この場合は、機器筐体や壁掛け装置の取り外しが困難になる。
【先行技術文献】
【特許文献】
【０００５】
【特許文献１】特開２００３−１７９６７５号公報
【発明の概要】
【発明が解決しようとする課題】
【０００６】
しかしながら、従来の機器筐体の被壁掛け品の壁掛け構造においては、ネジを用いて機器筐体を壁面に設置するため、壁へネジを埋め込むことになり、壁面への著しい損傷を与えるという欠点があった。
【０００７】
特に、スチール製ラックやロッカー、デスク側面、またはボード、タイルの壁などの場合は、壁にネジを螺入することができない実情があったため、ネジを螺入するための壁面取付用アダプタが必要とされている。また、単なるネジを螺入するための壁面取付用アダプタを用いることは、工事の効率が悪くなるという問題点があった。
【０００８】
また、壁掛機器に壁掛用ダルマ穴を設けて壁に取り付ける場合は、壁に螺入したネジを壁掛機器の壁掛用ダルマ穴に引っ掛けて装着することができるが、予めダルマ穴の位置に合わせてネジを設置することが必要なため、取り付け時の作業性が悪いという問題点があった。また、ネジを螺入するための壁面取付用アダプタを介して装着する場合も予めダルマ穴の位置に合わせて壁面取付用アダプタを設置することが必要なため、取り付け時の作業性が悪いという問題点もあった。なお、予め壁面取付用アダプタを壁掛機器の壁掛用ダルマ穴に引っ掛けて装着した後、壁に取り付けることが考えられるが、壁面取付用アダプタががたつく、ネジがダルマ穴から簡単に外れるため、壁に取り付ける際に、ネジがダルマ穴から外れないように壁面取付用アダプタを押さえながら取り付けることが必要となり、作業性が悪いという問題点があった。
【０００９】
そこで、本発明は、このような問題点を考慮してなされたもので、被壁掛け品にフィットすることができ、取り付け時の作業性を向上し、回転防止機能を有する壁面取付用アダプタ、被壁掛け品の壁掛け構造および被壁掛け品の壁掛け方法を提供することを目的とする。
【課題を解決するための手段】
【００１０】
上記課題を解決するため、本発明に係る壁面取付用アダプタは、くぎやねじの取り付けが不能又は不適な壁と、裏面部に壁側から突出するくぎ・ねじ等の頭部形状の引掛け用突起部が係挿されるダルマ穴を備えたＯＡタップ等の被壁掛け品と、の間に位置され、前記壁に吸着固定されて前記被壁掛け品を支持する壁面取付用アダプタであって、前記壁に密着される適宜大きさの板状のアダプタ本体と、前記アダプタ本体の裏面に付設され前記壁に磁気吸着するか粘着剤により吸着して前記アダプタ本体を固定する固着部材と、前記アダプタ本体の表面から突出して設けられ軸状部、先端に掛止部を有し、前記被壁掛け品を着脱可能に掛止する引掛け用突起部と、前記アダプタ本体の表面の前記引掛け用突起部の一側に付設され前記被壁掛け品のダルマ穴に前記引掛け用突起部を係挿したときに前記被壁掛け品のダルマ穴を備えた裏面部に対して押圧して前記被壁掛け品のダルマ穴と前記引掛け用突起部との係挿状態を保持する少なくとも１つの弾性突出部と、を備えたことを特徴とするものである。
【００１１】
例えば、前記アダプタ本体は樹脂成形体であり、前記弾性突出部は、前記アダプタ本体を半島状部分を有するように成形された該半島状の板ばね部と、該板ばね部の先端に一体成形され備えられ又は別部材として固定された突起とからなる。
【００１２】
また、前記弾性突出部は、ゴム成形体であり前記アダプタ本体に開けた孔に嵌着されているか、または前記アダプタ本体の表面に接着されている。
【００１３】
また、前記弾性突出部は、前記被壁掛け品のダルマ穴に前記引掛け用突起部を係挿したときに、前記被壁掛け品のダルマ穴の一側に備えられる凹部に係合するように配置されている。
【００１４】
前記引掛け用突起部は、前記アダプタ本体に表面よりタッピンネジを螺設し又は釘を打ち込み、該タッピンネジ又は該釘の前記アダプタ本体の表面より突出する部分である。
【００１５】
また、前記アダプタ本体は樹脂成形体であり、前記引掛け用突起部を一体成形により備えている。
【００１６】
また、前記固着部材は、前記アダプタ本体の裏面に固着されたマグネットであるか、又はアダプタ本体の裏面に塗膜されかつ離型紙で被覆され該離型紙が使用に際して剥離されて前記壁に粘着する粘着層である。
【００１７】
本発明に係る被壁掛け品の壁掛け構造は、くぎやねじの取り付けが不能又は不適な壁と、裏面部に壁側から突出するくぎ・ねじ等の頭部形状の引掛け用突起部が係挿されるダルマ穴を離れた位置に複数備えたＯＡタップ等の被壁掛け品との間に、前記ダルマ穴に対応する数の請求項１乃至請求項７のいずれかに記載の壁面取付用アダプタが前記壁に吸着固定されて位置され、前記各ダルマ穴に、これに対応する位置の壁面取付用アダプタの引掛け用突起部が係挿され前記被壁掛け品の裏面部の被壁掛け品を支持する、ことを特徴とするものである。
【００１８】
本発明に係る被壁掛け品の壁掛け方法は、裏面部に壁側から突出するくぎ・ねじ等の頭部形状の引掛け用突起部が係挿されるダルマ穴を離れた位置に複数備えたＯＡタップ等の被壁掛け品を、壁面取付用アダプタを用いて、くぎやねじの取り付けが不能又は不適な壁に壁掛けする被壁掛け品の壁掛け方法であって、前記被壁掛け品の各ダルマ穴に請求項１乃至請求項７のいずれかに記載の壁面取付用アダプタの引掛け用突起部を係挿し、前記弾性突出部によって被壁掛け品の裏面部を押圧させることにより前記ダルマ穴と前記ダルマ穴引掛け用突起部との係挿状態を保持し、前記被壁掛け品の裏面部に複数の壁面取付用アダプタが位置固定されている状態で、前記くぎやねじの取り付けが不能又は不適な壁に壁面取付用アダプタの固着部材を押しつけてアダプタ本体を前記壁に固着し、前記被壁掛け品を壁掛けする、ことを特徴とする。
【発明の効果】
【００１９】
本発明によれば、壁面取付用アダプタは、弾性突出部を設けることで、被壁掛け品にフィットすることができ、がたつくことがなく、かつ取り付け時の作業性を向上し、回転防止機能を有する。また、構造が簡単で、壁面への設置が容易にでき、かつ設置場所の変更も容易である。また、壁へネジを埋め込む必要がなく、壁の損傷を避けることができ、かつ短時間で壁掛け作業が行えるとともに、設置の安定性を向上することができる。
【００２０】
また、弾性突出部は、アダプタ本体を半島状部分を有するように成形された該半島状の板ばね部と、該板ばね部の先端に一体成形され備えられ又は別部材として固定された突起とからなるため、簡単な構造で製作が容易で生産性を向上することができる。
【００２１】
また、弾性突出部は、ゴム成形体であり、アダプタ本体に開けた孔に嵌着されまたは表面に接着されることで、被壁掛け品に合わせて弾性突出部を交換することで、弾性突出部の形状、大きさ等を変更することが可能である。
【００２２】
また、引掛け用突起部は、アダプタ本体に表面よりタッピンネジを螺設し又は釘を打ち込むにより構成されるため、被壁掛け品に合わせて壁面取付用アダプタ表面より突出の高さを調整することができる。
【００２３】
また、板状のアダプタ本体と引掛け用突起部は、樹脂から一体に成型されるため、簡単な構造で製作が容易で生産性を向上することができる。
【００２４】
また、固着部材は、マグネットである場合、スチール製の壁面に着脱自在に取付けることができ、かつ設置場所の変更も容易である。また、壁へ損傷もなく、短時間で壁掛け作業が行える。また、固着部材は、粘着層である場合、設置の安定性を向上することができる。
【００２５】
本発明によれば、被壁掛け品の壁掛け構造は、壁面取付用アダプタに弾性突出部を設けることで、被壁掛け品にフィットすることができ、がたつくことを防止することができると共に、取り付け時の作業性を向上し、回転防止機能を有する。また、引掛け用突起部がダルマ穴から外れることがなく、壁面取付用アダプタを予め被壁掛け品に装着した後、壁に配置することができる。また、構造が簡単で、着脱可能であり、壁面への設置が容易にでき、かつ設置場所の変更も容易である。また、被壁掛け品と壁面との間に大きな隙間が生じることなく、壁へ損傷もなく、短時間で壁掛け作業が行えるとともに、設置の安定性を向上することができる。
【００２６】
本発明によれば、被壁掛け品の壁掛け方法は、くぎやねじの取り付けが不能又は不適な壁に壁面取付用アダプタの固着部材を押しつけてアダプタ本体を壁に固着し、被壁掛け品を簡単に壁掛けすることができる。
【図面の簡単な説明】
【００２７】
【図１】第１の実施の形態の壁面取付用アダプタ１００の構成を示す斜視図である。
【図２】壁面取付用アダプタ１００の構成を示す裏側の斜視図である。
【図３】引掛け用突起部と弾性突出部の構成を示す断面図である。
【図４】第２の実施の形態の壁面取付用アダプタ１００Ａの構成を示す断面図である。
【図５】本発明の第３の実施の形態の壁面取付用アダプタ１００Ｂの構成を示す断面図である。
【図６】被壁掛け品の構成を示す概略図である。
【図７】本発明の被壁掛け品の壁掛け構造の一例を示す図である。
【図８】本発明の被壁掛け品の壁掛け構造の他の例を示す図である。
【図９】図８中のＢ−Ｂ断面図である。
【発明を実施するための形態】
【００２８】
本発明に係る壁面取付用アダプタ、被壁掛け品の壁掛け構造および被壁掛け品の壁掛け方法を実施するための最良の形態を、図を参照して説明する。
【００２９】
図１は、本発明の第１の実施の形態の壁面取付用アダプタ１００の構成を示す斜視図である。図２は、壁面取付用アダプタ１００の構成を示す裏側の斜視図である。図３は、引掛け用突起部と弾性突出部の構成を示す断面図である。図３において、引掛け用突起部と弾性突出部を有する局部の断面を示している。
【００３０】
図１〜図３に示すように、壁面取付用アダプタ１００は、アダプタ本体１１０と、引掛け用突起部１２０と、弾性突出部１３０と、固着部材１１２とを備える。
【００３１】
アダプタ本体１１０は、板状の表面部材１１１を備えてなる。該表面部材１１１の裏側に設けられた壁等に固定するための固着部材１１２が配置されている。
【００３２】
表面部材１１１は、樹脂から成型されるものである。該表面部材１１１の裏側に固着部材１１２を配置するための枠１１１ａおよび引掛け用突起部１２０を装着するため補強部１１１ｂが形成される。また、固着部材１１２は、マグネットである。この例においては、表面部材１１１の裏側に複数の枠１１１ａが形成され、各枠内にマグネットが配置されている。これにより、表面部材１１１上の引掛け用突起部１２０を装着する部分と、弾性突出部１３０を形成する部分を回避すると共に、スチール製の壁等に装着する際の吸着力を確保することができる。
【００３３】
引掛け用突起部１２０は、表面部材１１１のほぼ中央部に表面から突出して設けられ、端部に掛止面１２１を有し、被壁掛け品を着脱可能に掛止するものである。ここで、引掛け用突起部１２０は、表面部材１１１のほぼ中央部に螺設されたタッピンネジからなり、掛止面１２１はタッピンネジの頭部の平面である。タッピンネジを用いる場合、タッピンネジを表面部材１１１の表面から補強部１１１ｂまでに螺入することで、堅固に固定させることができると共に、被壁掛け品に合わせて掛止面１２１と壁面取付用アダプタ表面との距離Ｈを調整することができる。なお、引掛け用突起部１２０は、タッピンネジに限定されるものではない。例えば、釘を打ち込むようにしてもよい。
【００３４】
弾性突出部１３０は、アダプタ本体１１０を半島状部分を有するように成形された該半島状の板ばね部と、該板ばね部の先端に一体成形され備えられ又は別部材として固定された突起とからなる。即ち、表面部材１１１の表面より所定高さｈ（ｈ＜Ｈ）を突出した突起部を有するものである。この例において、２つの弾性突出部１３０ａ，１３０ｂが設けられている。弾性突出部１３０ａ，１３０ｂは、表面部材１１１に形成された突起部の周りの３方向に切り口を設けて板ばね状に形成される。なお、１つの弾性突出部、例えば弾性突出部１３０ａのみを設けてもよい。また、突起部の下側を円錐面にするようにしてもよい。
【００３５】
このような壁面取付用アダプタ１００に被壁掛け品が装着される場合、弾性突出部１３０ａまたは１３０ｂが被壁掛け品により後方へ押される。これにより、弾性突出部１３０ａまたは１３０ｂが被壁掛け品を押さえる力を発生し、壁面取付用アダプタ１００が被壁掛け品にフィットすることで、がたつくことがなく、かつ引掛け用突起部１２０が被壁掛け品のダルマ穴から外れることを防止することができる。また、被壁掛け品が装着される場合、弾性突出部１３０ａまたは１３０ｂを被壁掛け品のダルマ穴に落とし、被壁掛け品と壁面取付用アダプタ１００相互間の回転を防止することが可能である（後述の被壁掛け品の壁掛け構造参照）。また、弾性突出部１３０ａまたは１３０ｂの突起部の下側を円錐面にすることにより、壁面取付用アダプタ１００を取り外す際に、突起部が容易にダルマ穴から抜け出すことができる。
【００３６】
図４は、本発明の第２の実施の形態の壁面取付用アダプタ１００Ａの構成を示す断面図である。図４において、壁面取付用アダプタ１００Ａの引掛け用突起部と弾性突出部を有する局部の断面を示している。
【００３７】
図４に示すように、壁面取付用アダプタ１００Ａは、掛止部１２１Ａを有する引掛け用突起部１２０Ａを備えるものである。この引掛け用突起部１２０Ａと表面部材１１１は、樹脂から一体に成型される。また、引掛け用突起部１２０Ａにおいて、細径部と太径部を有し、これにより掛止部１２１Ａが形成される。なお、壁面取付用アダプタ１００Ａにおいて、引掛け用突起部１２０Ａ以外は、上述した第１の実施の形態と同様の構成を有している。
【００３８】
この場合、掛止面１２１Ａと壁面取付用アダプタ表面との距離Ｈを調整することができないが、引掛け用突起部１２０Ａと表面部材１１１が樹脂から一体に成型されるため、第１の実施の形態のような補強部１１１ｂを設ける必要がなく、かつ製作が容易で、生産性を向上することができる。
【００３９】
なお、第２の実施の形態の壁面取付用アダプタ１００Ａは、上述した第１の実施の形態と同様の効果が得られる。
【００４０】
図５は、本発明の第３の実施の形態の壁面取付用アダプタ１００Ｂの構成を示す断面図である。図５において、壁面取付用アダプタ１００Ｂの引掛け用突起部と弾性突出部を有する局部の断面を示している。
【００４１】
図５に示すように、壁面取付用アダプタ１００Ｂは、弾性突出部１３０Ｂを備えるものである。この弾性突出部１３０Ｂは、ゴムから形成された突起部と表面部材１１１に設けられた装着穴１１１ｃに嵌合する嵌合部とからなる。弾性突出部１３０Ｂの嵌合部を装着穴１１１ｃに嵌合させることで弾性突出部１３０Ｂが表面部材１１１に装着される。なお、壁面取付用アダプタ１００Ｂにおいて、弾性突出部１３０Ｂ、および表面部材１１１に設けられた装着穴１１１ｃ以外は、上述した第１の実施の形態と同様の構成を有している。
【００４２】
この場合、弾性突出部１３０Ｂは、表面部材１１１の表面より所定高さｈ（ｈ＜Ｈ）を突出したものである。また、被壁掛け品に合わせて弾性突出部１３０Ｂの形状、大きさ等を変更することができる。なお、壁面取付用アダプタ１００Ｂには、２つの弾性突出部１３０Ｂを設けるようにしてもよい。
【００４３】
また、弾性突出部１３０Ｂが１つの場合は、被壁掛け品が装着される際に、弾性突出部１３０Ｂが被壁掛け品のダルマ穴の大穴部に落とすように所定の位置に設けるようにしてもよい。なお、被壁掛け品が装着される際に、弾性突出部１３０Ｂがダルマ穴の大穴部に落とさないように所定の位置に設けるようにしてもよい。
【００４４】
また、弾性突出部１３０Ｂが２つの場合は、そのうち１つが被壁掛け品のダルマ穴の大穴部に落とすように所定の位置に設けられ、回転防止機能を有する。もう１つがその他の位置に設けられ、フィット機能を有する。
【００４５】
なお、第３の実施の形態の壁面取付用アダプタ１００Ｂは、上述した第１の実施の形態と同様の効果が得られる。
【００４６】
図６は、被壁掛け品の構成を示す概略図である。図６（ａ）は、被壁掛け品２００の構成を示しており、図６（ｂ）は、被壁掛け品２００Ａの構成を示している。
【００４７】
図６（ａ）に示すように、被壁掛け品２００において、被壁掛け品側取付け部は、板状部材に設けられ、大穴部２２１と小穴部２２２を有するダルマ穴２２０であり、ダルマ穴２２０が垂直方向に形成されるものである。ここで、板状部材の厚さＴは、Ｈ＞Ｔ＞（Ｈ−ｈ）の範囲にある。
【００４８】
また、図６（ｂ）に示すように、被壁掛け品２００Ａにおいて、被壁掛け品側取付け部は、板状部材に設けられ、大穴部２２１Ａと小穴部２２２Ａを有するダルマ穴２２０Ａであり、ダルマ穴２２０Ａが傾斜方向に形成されるものである。ここで、板状部材の厚さＴは、Ｈ＞Ｔ＞（Ｈ−ｈ）の範囲にある。なお、小穴部２２２Ａが大穴部２２１Ａの左上方へ傾斜する例を示しているが、これに限定するものではない。
【００４９】
図７は、本発明の被壁掛け品の壁掛け構造の一例を示す図である。図７において、壁面取付用アダプタ１００と被壁掛け品２００の装着例を示している。図７（ａ）は、引掛け用突起部１２０がダルマ穴２２０の大穴部２２１に位置する状態を示している。図７（ｂ）は、引掛け用突起部１２０がダルマ穴２２０の小穴部２２２に位置する状態を示している。
【００５０】
壁面取付用アダプタ１００を被壁掛け品２００に装着する際に、まず、図７（ａ）に示すように、壁面取付用アダプタ１００の引掛け用突起部１２０を被壁掛け品２００のダルマ穴２２０の大穴部２２１に挿入する。
【００５１】
そして、図７（ｂ）に示すように、壁面取付用アダプタ１００を上方へスライドし、即ち壁面取付用アダプタ１００の引掛け用突起部１２０を被壁掛け品２００のダルマ穴２２０の小穴部２２２側にスライドし、この際に、弾性突出部１３０ａがダルマ穴２２０の大穴部２２１に落とし、弾性突出部１３０ｂが被壁掛け品２００の背面に押し付けるようになっている。
【００５２】
このように壁面取付用アダプタ１００と被壁掛け品２００からなる被壁掛け品の壁掛け構造においては、壁面取付用アダプタ１００は、アダプタ本体１１０と、引掛け用突起部１２０と、弾性突出部１３０とを備える。弾性突出部１３０は、表面部材１１１の表面より所定高さを突出した突起部を有する２つの弾性突出部１３０ａ，１３０ｂからなる。弾性突出部１３０ａ，１３０ｂは、表面部材１１１に形成された突起部の周りの３方向に切り口を設けて板ばね状に形成される。
【００５３】
また、被壁掛け品２００において、被壁掛け品側取付け部は、所定厚さの板状部材に設けられ、大穴部２２１と小穴部２２２を有するダルマ穴２２０である。
【００５４】
これにより、壁面取付用アダプタ１００が被壁掛け品２００にフィットし、引掛け用突起部１２０がダルマ穴２２０から外れることがなく、壁面取付用アダプタ１００を予め被壁掛け品２００に装着した後、壁に配置することができる。また、弾性突出部１３０ａがダルマ穴２２０の大穴部２２１に入ることで、壁面取付用アダプタ１００と被壁掛け品２００相互間の回転を確実に防止することができる。
【００５５】
図８は、本発明の被壁掛け品の壁掛け構造の他の例を示す図である。図８において、壁面取付用アダプタ１００と被壁掛け品２００Ａの装着例を示している。図８（ａ）は、引掛け用突起部１２０がダルマ穴２２０Ａの大穴部２２１Ａに位置する状態を示している。図８（ｂ）は、引掛け用突起部１２０がダルマ穴２２０Ａの小穴部２２２Ａに位置する状態を示している。また、図９は、図８中のＢ−Ｂ断面図である。
【００５６】
壁面取付用アダプタ１００を被壁掛け品２００Ａに装着する際に、まず、図８（ａ）に示すように、壁面取付用アダプタ１００の引掛け用突起部１２０を被壁掛け品２００Ａのダルマ穴２２０Ａの大穴部２２１Ａに挿入する。
【００５７】
そして、図８（ｂ）に示すように、壁面取付用アダプタ１００を左上の方向へスライドし、即ち壁面取付用アダプタ１００の引掛け用突起部１２０を被壁掛け品２００Ａのダルマ穴２２０Ａの小穴部２２２Ａ側にスライドし、この際に、図９に示すように、弾性突出部１３０ｂがダルマ穴２２０Ａの大穴部２２１Ａに落とし、弾性突出部１３０ａが被壁掛け品２００Ａの背面に押し付けるようになっている。
【００５８】
このように壁面取付用アダプタ１００と被壁掛け品２００Ａからなる被壁掛け品の壁掛け構造においては、壁面取付用アダプタ１００は、アダプタ本体１１０と、引掛け用突起部１２０と、弾性突出部１３０とを備える。弾性突出部１３０は、表面部材１１１の表面より所定高さを突出した突起部を有する２つの弾性突出部１３０ａ，１３０ｂからなる。弾性突出部１３０ａ，１３０ｂは、表面部材１１１に形成された突起部の周りの３方向に切り口を設けて板ばね状に形成される。
【００５９】
また、被壁掛け品２００Ａにおいて、被壁掛け品側取付け部は、所定厚さの板状部材に設けられ、大穴部２２１Ａと小穴部２２２Ａを有するダルマ穴２２０Ａである。
【００６０】
これにより、壁面取付用アダプタ１００が被壁掛け品２００Ａにフィットし、引掛け用突起部１２０がダルマ穴２２０Ａから外れることがなく、壁面取付用アダプタ１００を予め被壁掛け品２００に装着した後、壁に配置することができる。また、弾性突出部１３０ｂがダルマ穴２２０Ａの大穴部２２１Ａに入ることで、壁面取付用アダプタ１００と被壁掛け品２００Ａ相互間の回転を確実に防止することができる。
【００６１】
また、図７および図８に示すように、壁面取付用アダプタ１００が２つの弾性突出部１３０ａ，１３０ｂを有するため、被壁掛け品２００および被壁掛け品２００Ａともに対応することができる。
【００６２】
なお、上述実施の形態においては、アダプタ本体１１０の固着部材として、マグネットを用いたものについて説明したが、これに限定されるものではない。例えば、アダプタ本体１１０の裏側に粘着層を設け、固着部材として用いても良い。この場合は、粘着層として粘着剤塗層または粘着シートである。粘着剤塗層または粘着シートが壁面から剥離、再粘着可能で、かつ粘着剤（粘着シート）の表面に剥離シートを配置することが望ましい。
【００６３】
また、上述実施の形態においては、アダプタ本体１１０の表面部材１１１は、樹脂から成型されるものについて説明したが、これに限定されるものではない。他の材料、例えば金属、木材等を用いて形成するようにしてもよい。
【００６４】
また、上述実施の形態においては、被壁掛け品２００、２００Ａには、１つのダルマ穴２２０、２２０Ａが設けられたものとしたが、これに限定されるものではない。例えば、被壁掛け品に２以上のダルマ穴を設けるようにしてもよい。この場合、ダルマ穴の数に応じて２以上の壁面取付用アダプタを使用することが必要であるので、壁面取付用アダプタを予め被壁掛け品に装着した後、壁に配置する際に、壁面取付用アダプタ間の位置関係を気にせず、容易に設置することができる。
【産業上の利用可能性】
【００６５】
この発明は、スチール製ラックやロッカー、デスク側面、またはボード、タイルの壁にＯＡタップや情報通信端末装置等の被壁掛け品を固定する目的に利用できる。
【符号の説明】
【００６６】
１００  壁面取付用アダプタ
１１０  アダプタ本体
１１１  表面部材
１１１ａ  枠
１１１ｂ  補強部
１１１ｃ  装着穴
１１２  固着部材
１２０，１２０Ａ  引掛け用突起部
１２１，１２１Ａ  掛止面
１３０，１３０ａ，１３０ｂ，１３０Ｂ  弾性突出部
２００，２００Ａ  被壁掛け品
２２０，２２０Ａ  ダルマ穴
２２１，２２１Ａ  大穴部
２２２，２２２Ａ  小穴部
【図１】
2010175016.tif 000003
【図２】
2010175016.tif 000004
【図３】
2010175016.tif 000005
【図４】
2010175016.tif 000006
【図５】
2010175016.tif 000007
【図６】
2010175016.tif 000008
【図７】
2010175016.tif 000009
【図８】
2010175016.tif 000010
【図９】
2010175016.tif 000011